(57)【特許請求の範囲】
【請求項１】
固定受信用アンテナからの放送波を受信する第１の受信部と、
移動受信用アンテナからの放送波を受信する第２の受信部と、
前記第１の受信部又は前記第２の受信部からの放送波を復調し、デジタル信号を出力する復調部と、
前記復調部により復調する放送波のチャンネルを選局番号により選択する選択部と、
前記復調部により復調する放送波のチャンネルと前記選択部により選択される選局番号とを対応させたチャンネルリストを記録する記録部と、
補助アンテナからの放送波を受信する第３の受信部と、を備え、
前記チャンネルリストは、前記第１の受信部により受信可能なチャンネルを示す第１のチャンネルリストと、前記第２の受信部により受信可能なチャンネルを示す第２のチャンネルリストとを個別に有し、
前記記録部は、さらに、前記第３の受信部により受信可能なチャンネルを示す第３のチャンネルリストを有し、
前記第３のチャンネルリストを作成後、前記第２のチャンネルリストを作成する場合には、前記第３のチャンネルリストの情報を前記第２のチャンネルリストに複製し、
前記第３のチャンネルリストと前記第２のチャンネルリストの情報が異なる場合にのみ、第２のチャンネルリストを変更することを特徴とする受信装置。
【請求項２】
前記受信装置は、さらに、前記第１のチャンネルリスト、前記第２のチャンネルリスト、前記第３のチャンネルリストを表示可能な表示部を備え、
前記選択部は、前記表示部に表示された前記第１のチャンネルリスト、前記第２のチャンネルリスト、前記第３のチャンネルリストを選択可能な請求項１記載の受信装置。
【請求項３】
前記受信装置は、さらに、外部機器と接続可能な接続部を備え、
前記外部機器が前記記録部により記録されたチャンネルリストの情報を要求した場合には、前記受信装置は、前記第１のチャンネルリスト及び前記第３のチャンネルリストのいずれか１つの情報を前記外部機器に転送することを特徴とする請求項１記載の受信装置。
【発明の詳細な説明】
【技術分野】
【０００１】
本発明は、複数のアンテナを用いて、電波を受信する受信装置及び受信方法に関するものである。特に、固定受信用アンテナと移動受信用アンテナを併用する受信装置及び受信方法に関する。
【背景技術】
【０００２】
アンテナには、固定受信用アンテナと移動受信用アンテナとが存在する。従来、固定受信用アンテナは、屋内に設置された固定の受信装置に対して、屋外に例えばＵＨＦアンテナ、ＶＨＦアンテナ、ＢＳアンテナ、ＣＳアンテナを設置する。そして、それらのアンテナにアンテナ線を接続し、アンテナ線を屋内の壁面に設けたプラグコンセントと接続し、プラグコンセントと固定の受信装置とを同軸ケーブルにより接続することにより、固定の受信装置が電波を受信する方法が知られている。また、移動受信用アンテナは、車に搭載された移動可能な受信装置に対して、例えば車のリヤガラスなどにガラスアンテナを設置する。そして、ガラスアンテナと受信装置とをアンテナ線で接続し、移動可能な受信装置が電波を受信する構成が知られている（例えば、特許文献１参照）。【０００３】
しかしながら、従来の固定の受信装置の受信方法では、プラグコンセント（固定受信用アンテナ）が設けられた位置に応じて、固定の受信装置の設置場所が決定されることが多い。したがって、受信装置の設置位置を規制することとなるという課題がある。また、一方で、従来の移動可能な受信装置の受信方法では、移動受信用アンテナの特性上の制限から、電波の受信性能が固定受信用アンテナに比べて悪いため、受信感度に課題がある。【０００４】
ここで、それらの課題を解決するために、壁面に設けられ、かつ固定受信用アンテナに接続されたプラグコンセント及び移動受信用アンテナであるガラスアンテナのいずれのアンテナにも対応可能な受信装置を用いることが考えられる。この受信装置は、電波が安定した受信感度の良い状態で視聴する場合には、固定受信用アンテナにより電波を受信する。一方、プラグコンセントが無い場所に、受信装置の設置位置を移動し視聴する場合には、この受信装置は、移動受信用アンテナにより電波を受信する。このようにして、従来の受信装置は、上記した課題を解決することも考えられる。【０００５】
しかしながら、このような構成であっても、複数のアンテナから電波を受信するため、チャンネル設定を行う際に、複数のアンテナについてそれぞれチャンネル設定を行う必要がある。その結果、チャンネル設定に時間を要するという課題が生じる。以上のように、複数のアンテナから電波を受信する場合には、従来の一つのアンテナにより電波を受信する場合には生じなかった種々の課題が生じる。
【先行技術文献】
【特許文献】
【０００６】
【特許文献１】特開２００７−５３５０５号公報
【発明の概要】
【０００７】
本発明の受信装置は、第１の受信部と第２の受信部と復調部と選択部と記録部とを備えている。第１の受信部は、固定受信用アンテナからの放送波を受信する。第２の受信部は、移動受信用アンテナからの放送波を受信する。復調部は、第１の受信部又は第２の受信部からの放送波を復調し、デジタル信号を出力する。選択部は、復調部により復調する放送波のチャンネルを選局番号により選択する。記録部は、復調部により復調する放送波のチャンネルと選択部により選択される選局番号とを対応させたチャンネルリストを記録する。チャンネルリストは、第１の受信部により受信可能なチャンネルを示す第１のチャンネルリストと、第２の受信部により受信可能なチャンネルを示す第２のチャンネルリストとを個別に有する。
【０００８】
このような構成により、受信装置は、受信性能の異なる複数のアンテナから電波を受信する場合であっても、適切にチャンネルリストを提供することができる。
【０００９】
また、本発明の受信装置は、第１のチャンネルリストを作成後、第２のチャンネルリストを作成する場合には、第１のチャンネルリストの情報を第２のチャンネルリストに複製し、第１のチャンネルリストと第２のチャンネルリストの情報が異なる場合にのみ、第２のチャンネルリストを変更する制御部を有してもよい。
【００１０】
また、本発明の受信装置は、さらに、第１のチャンネルリスト及び第２のチャンネルリストを表示可能な表示部を備え、選択部は、表示部に表示された第１のチャンネルリスト及び第２のチャンネルリストを選択可能であってもよい。
【００１１】
また、本発明の受信装置は、さらに、外部機器と接続可能な接続部を備え、外部機器が記録部により記録されたチャンネルリストの情報を要求した場合には、受信装置は、第１のチャンネルリストの情報を外部機器に転送してもよい。
【００１２】
また、本発明の受信装置は、さらに、補助アンテナからの放送波を受信する第３の受信部を備えている。また、記録部は、さらに、第３の受信部により受信可能なチャンネルを示す第３のチャンネルリストを有している。そして、受信装置は、第３のチャンネルリストを作成後、第２のチャンネルリストを作成する場合には、第３のチャンネルリストの情報を第２のチャンネルリストに複製し、第３のチャンネルリストと第２のチャンネルリストの情報が異なる場合にのみ、第２のチャンネルリストを変更してもよい。
【００１３】
また、本発明の受信装置は、さらに、第１のチャンネルリスト、第２のチャンネルリスト、第３のチャンネルリストを表示可能な表示部を備え、選択部は、表示部に表示された第１のチャンネルリスト、第２のチャンネルリスト、第３のチャンネルリストを選択可能であってもよい。
【００１４】
また、本発明の受信装置は、さらに、外部機器と接続可能な接続部を備え、外部機器が記録部により記録されたチャンネルリストの情報を要求した場合には、受信装置は、第１のチャンネルリスト及び第３のチャンネルリストのいずれか１つの情報を前記外部機器に転送してもよい。
【００１５】
また、本発明の受信方法は、第１の受信ステップと第２の受信ステップと復調ステップと選択ステップと記録ステップとを備えている。第１の受信ステップは、固定受信用アンテナからの放送波を第１の受信部により受信する。第２の受信ステップは、移動受信用アンテナからの放送波を第２の受信部により受信する。復調ステップは、第１の受信ステップ又は第２の受信ステップからの放送波を復調部により復調し、デジタル信号を出力する。選択ステップは、復調ステップにより復調する放送波のチャンネルを選択するために、選択部の選局番号を選択する。記録ステップは、復調ステップにより復調する放送波のチャンネルと選択ステップにより選択される選局番号とを対応させたチャンネルリストを記録部により記録する。そして、チャンネルリストは、第１の受信部により受信可能なチャンネルを示す第１のチャンネルリストと、第２の受信部により受信可能なチャンネルを示す第２のチャンネルリストとを個別に有する。
【図面の簡単な説明】
【００１６】
【図１Ａ】図１Ａは、本発明の実施の形態における受信装置の全体構成を示す概念図である。
【図１Ｂ】図１Ｂは、本発明の実施の形態における受信装置の全体構成を示す概念図である。
【図２】図２は、本発明の実施の形態における受信装置の全体構成を示すブロック図である。
【図３】図３は、本発明の実施の形態におけるチャンネルリストの１例を示す概念図である。
【図４】図４は、本発明の実施の形態におけるチャンネルリストの１例を示す概念図である。
【図５】図５は、本発明の実施の形態における受信装置の動作を示すフローチャートである。
【図６】図６は、本発明の実施の形態における他の例の受信装置の全体構成を示すブロック図である。
【図７】図７は、本発明の実施の形態におけるチャンネルリストの１例を示す概念図である。
【発明を実施するための形態】
【００１７】
（実施の形態）
本発明の実施の形態における受信装置について説明する。図１Ａ、図１Ｂは、本発明の実施の形態における受信装置の全体構成を示す概念図である。図１Ａは、移動受信用アンテナから放送波を受信する場合の全体構成を示す概念図を示している。一方、図１Ｂは、固定受信用アンテナから放送波を受信する場合の全体構成を示す概念図を示している。
【００１８】
図１Ａに示すように、受信装置は、第１の受信部１００と第２の受信部１０２とスイッチング部１０４と受像部１０５とにより構成されている。第１の受信部１００は、一般的に屋外に設置されるＵＨＦアンテナ、ＶＨＦアンテナ、ＢＳアンテナ、ＣＳアンテナ等により構成される固定受信用アンテナからの放送波を受信する。第２の受信部１０２は、４ダイバーシティーアンテナ等により構成される移動受信用アンテナからの放送波を受信する。スイッチング部１０４は、第１の受信部１００と第２の受信部１０２とのいずれか１つにより受信された放送波をスイッチング回路により選択する。受像部１０５は、スイッチング部１０４により選択された放送波を復調し、映像信号などを表示する。また、音声信号をスピーカ（図示せず）などから出力してもよい。図１Ａにおいては、スイッチング部１０４により第２の受信部１０２からの放送波が選択されており、受像部１０５においては、第２の受信部１０２からの放送波が復調され、デジタル信号として出力されている。そして、デジタル信号は復号され、映像信号などが表示されている。また、音声信号をスピーカ（図示せず）などから出力してもよい。
【００１９】
一方、図１Ｂにおいても、図１Ａと同様に、受信装置は、第１の受信部１００と第２の受信部１０２とスイッチング部１０４と受像部１０５とにより構成されている。図１Ｂにおいては、スイッチング部１０４により第１の受信部１００からの放送波が選択されており、受像部１０５においては、第１の受信部１００からの放送波が復調され、デジタル信号として出力されている。そして、デジタル信号は復号され、映像信号などが表示されている。また、音声信号をスピーカ（図示せず）などから出力してもよい。
【００２０】
このように、本実施の形態における受信装置は、固定受信用アンテナからの放送波を受信可能な第１の受信部１００と、移動受信用アンテナからの放送波を受信可能な第２の受信部１０２の２つの受信部を備えている。そして、受信装置は、電波が安定した受信感度の良い状態で視聴する場合には、固定受信用アンテナにより電波を受信する。一方、受信装置は、プラグコンセントが無い場所に、受信装置の設置位置を移動し視聴する場合には、移動受信用アンテナにより電波を受信することが可能である。
【００２１】
次に、図２を参照しながら、本実施の形態における受信装置について、より詳細に説明する。図２は、本発明の実施の形態における受信装置の全体構成を示すブロック図である。
【００２２】
図２に示すように、本実施の形態における受信装置は、第１の受信部１００と、第２の受信部１０２と、スイッチング部１０４と、受像部１０５とを備えている。受像部１０５は、復調部１０６と、デコード部１０８と、表示部１１０と、選択部１１２と、記録部１１４と、接続部１１６と、制御部１１８とを有する。
【００２３】
第１の受信部１００は、一般的に屋外に設置されたＵＨＦアンテナ、ＶＨＦアンテナ、ＢＳアンテナ、ＣＳアンテナ等により構成される固定受信用アンテナからの放送波を受信する。第２の受信部１０２は、４ダイバーシティーアンテナ等により構成される移動受信用アンテナからの放送波を受信する。スイッチング部１０４は、第１の受信部１００と第２の受信部１０２とのいずれか１つにより受信された放送波をスイッチング回路により選択する。復調部１０６は、スイッチング部１０４により選択された放送波を復調し、デジタル信号を出力する。デコード部１０８は、復調部１０６により出力されたデジタル信号をデコードする。表示部１１０は、デコード部１０８によりデコードされたデジタル信号に含まれる映像信号を表示する。選択部１１２は、リモコン等により構成され、復調部１０６により復調する放送波のチャンネルを選局番号により選局する。記録部１１４は、復調部１０６により復調する放送波のチャンネル（物理チャンネル、周波数等）と選択部１１２により選択される選局番号とを対応させたチャンネルリストを記録する。接続部１１６は、外部機器１１５と接続可能な端子を有する。制御部１１８は、復調部１０６、デコード部１０８、表示部１１０、選択部１１２、記録部１１４、接続部１１６を制御する。なお、必要に応じて、音声信号を出力するスピーカ（図示せず）を設けてもよい。
【００２４】
ここで、記録部１１４は、チャンネルリストとして、第１のチャンネルリストと、第２のチャンネルリストを個別に有している。第１のチャンネルリストは、第１の受信部１００により受信可能なチャンネルに関するリストである。第２のチャンネルリストは、第２の受信部１０２により受信可能なチャンネルに関するリストである。制御部１１８は、現在、スイッチング部１０４で選択されている第１の受信部１００又は第２の受信部１０２を判別して、復調部１０６に接続されている受信部に対応するチャンネルリストを選択し、その情報に基づいて、復調部１０６を制御する。
【００２５】
このような構成により、本発明の実施の形態における受信装置では、複数の受信部に対して、それぞれチャンネルリストを備えている。そして、受信装置は、現在受信中の受信部に対応するチャンネルリストを選択して、そのチャンネルリストに基づいて復調部１０６を制御する。その結果、複数のアンテナからの放送波を受信可能な受信部であっても、受信装置は、適切なチャンネルを選択することが可能になる。
【００２６】
また、制御部１１８は、この記録部１１４に記録された第１のチャンネルリスト及び第２のチャンネルリストを表示部１１０に表示してもよい。そして、選択部１１２が、表示部１１０に表示された第１のチャンネルリスト及び第２のチャンネルリストを選択可能であってもよい。
【００２７】
このような構成により、本実施の形態における受信装置では、ユーザーが、現在の受信環境において、複数のアンテナそれぞれに受信可能なチャンネルを判別することができる。したがって、ユーザーが、受信環境に応じて、第１の受信部１００及び第２の受信部１０２での受信可能なチャンネルが異なることを認識することにより、複数のアンテナのそれぞれが選択可能な番組を適切に判別ことが可能になる。
【００２８】
さらに、選択部１１２に、第１の受信部１００及び第２の受信部１０２のいずれか１つを選択するための切替ボタン（図示せず）を設けてもよい。そして、ユーザーが切替ボタンを選択するのみで、スイッチング部１０４を切り替えることにより、第１の受信部１００と第２の受信部１０２とを切り替えることが可能になる構成を採用してもよい。
【００２９】
このように、本発明の実施の形態における受信装置においては、簡易な操作により、複数のアンテナからの放送波を切り替えることが可能になる。
【００３０】
なお、このチャンネルリストは、例えば、ユーザーが購入後にチャンネルスキャンの作業を行うことにより、取得してもよい。以下に、チャンネルリスト及びチャンネルリストを取得するためのチャンネルスキャンの動作についてより詳細に、図３から図５を参照しながら説明する。
【００３１】
図３は、固定受信用アンテナからの放送波を受信する第１の受信部１００により、ユーザーがチャンネルスキャンを行った場合のチャンネルリスト（第１のチャンネルリスト）の１例を示す概念図である。一方、図４は、移動受信用アンテナからの放送波を受信する第２の受信部１０２により、ユーザーがチャンネルスキャンを行った場合のチャンネルリスト（第２のチャンネルリスト）の１例を示す概念図である。リモコンの欄は、リモコンに付帯するボタンの番号を示している。ＣＨの欄は、各放送局から放送されている番組に対応するチャンネルの番号を示している。チャンネル名は、チャンネルの呼称を想定している。なお、ワンセグＣＨ、ワンセグチャンネル名の欄は、それぞれ、ワンセグ受信時におけるＣＨ、チャンネル名の欄である。
【００３２】
この図３と図４とを比較すると、例えば、リモコン番号１番のＣＨ０１１（ＮＮＫ総合・大阪）と、ワンセグＣＨ６１１（ＮＮＫ総合・大阪携帯）とは、ともに受信できている。しかし、リモコン番号３番については、両者は共通していない。すなわち、リモコン番号３番のＣＨ０３１（ヨンテレビ）と、ワンセグＣＨ６３１（ヨンテレビ携帯）とについて比較すると、固定受信用アンテナからの放送波を受信する第１の受信部１００により、ユーザーがチャンネルスキャンを行った場合のチャンネルリスト（第１のチャンネルリスト）には、チャンネルの番号などの情報が取得されている。一方、移動受信用アンテナからの放送波を受信する第２の受信部１０２により、ユーザーがチャンネルスキャンを行った場合のチャンネルリスト（第２のチャンネルリスト）には、チャンネルの番号などの情報が取得されていない。
【００３３】
仮に、このような２つのチャンネルリストを有しない場合、図３のようなチャンネルリストを記録部１１４に記録することが考えられる。しかし、第２の受信部１０２により受信装置が放送波を受信している場合には、一定のチャンネル（上述したリモコン番号３番、ＣＨ０３１（ヨンテレビ）、ワンセグＣＨ６３１（ヨンテレビ携帯）等）については、チャンネルリストには記載されているものの、ユーザーは選択（視聴）することはできない。したがって、ユーザーのチャンネル選択が非常に煩雑になる。
【００３４】
これに対して、本実施の形態における受信装置では、アンテナに対応して複数のチャンネルリストを有することにより、ユーザーが、現在の受信環境において、複数のアンテナそれぞれに受信可能なチャンネルを判別できる。したがって、ユーザーは、受信環境に応じて、第１の受信部１００及び第２の受信部１０２での受信可能なチャンネルが異なることを認識することができる。このようにして、本実施の形態における受信装置では、ユーザーは、複数のアンテナのそれぞれについて選択可能な番組を適切に判別ことが可能になる。
【００３５】
また、図２に示したように、本実施の形態における受信装置は、接続部１１６を介して、外部機器１１５と接続されている。ここで、外部機器１１５としては、受信機能を有する記録装置（チューナー付きＤＶＤ、ＢＤ）やＳＴＢ等が想定される。
【００３６】
ここで、受信装置は、外部機器１１５が受信装置の記録部１１４に記録されたチャンネルリストの情報を要求した場合には、受信装置は、第１のチャンネルリストを外部機器１１５に転送する。このように、第２のチャンネルリストではなく、第１のチャンネルリストを送信する理由としては、図３及び図４に示すように、第１のチャンネルリストと比較して、第２のチャンネルリストは、取得しているチャンネル数が少ないためである。
【００３７】
以上のように、本実施の形態における受信装置は、外部機器１１５が受信装置の記録部１１４に記録されたチャンネルリストの情報を要求した場合には、第１のチャンネルリストを外部機器１１５に転送することにより、より多くのチャンネル数を取得することが可能になるものである。
【００３８】
次に、これらの複数のチャンネルリストを取得するチャンネルスキャンの動作について、図５を参照しながら説明する。図５は、本発明の実施の形態における受信装置の動作を示すフローチャートである。すなわち、図５のフローチャートでは、図３に示した、固定受信用アンテナからの放送波を受信する第１の受信部１００により、ユーザーがチャンネルスキャンを行った場合のチャンネルリスト（第１のチャンネルリスト）が、既に記録部１１４に記録されていると想定している。ここで、図４に示した、移動受信用アンテナからの放送波を受信する第２の受信部１０２により、チャンネルリスト（第２のチャンネルリスト）を作成するために、ユーザーがチャンネルスキャンを行なわせた場合の受信装置の動作について説明する。
【００３９】
最初に、受信装置は、Ｎの値を初期化して、Ｎを０とする（ステップ２００）。ここで、このＮの値とは、チャンネルスキャンを行ったチャンネル数を示しており、この例においては、最大６２チャンネルとなっている。
【００４０】
次に、チャンネルスキャンを行ったチャンネル数が６２チャンネル以下であるか否かを判別する（ステップ２０２）。Ｎ＝６２の場合には（ステップ２０２の「Ｙｅｓ」）、全てのチャンネルについてチャンネルスキャンが行われているため、チャンネルスキャンの処理を終了する（ステップ２０４）。ここで、Ｎ＝６２でない場合には（ステップ２０２の「Ｎｏ」）、第１のチャンネルリストの当該チャンネル番号の情報を第２のチャンネルリストに複製し（ステップ２０５）、選局処理を行う（ステップ２０６）。
【００４１】
次に、ステップ２０６の選局処理により、ＮＩＴ（Ｎｅｔｗｏｒｋ  Ｉｎｆｏｒｍａｔｉｏｎ  Ｔａｂｌｅ）を取得したか否かを判別する（ステップ２０８）。このステップ２０８において、ＮＩＴを取得した場合には（ステップ２０８の「Ｙｅｓ」）、第２のチャンネルリストに取得したＮＩＴが登録されているか否かを判別する（ステップ２１０）。一方、ステップ２０８において、ＮＩＴを取得できていない場合には（ステップ２０８の「Ｎｏ」）、ステップＳ２１６に進む。
【００４２】
次に、ステップ２１０において、既に登録されたチャンネルと判明した場合には（ステップ２１０の「Ｙｅｓ」）、上述したステップ２０５により複製した第１のチャンネルリストの情報に基づいて、第２のチャンネルリストを書き換える（ステップ２１２）。一方、ステップ２１０において、未登録と判明した場合には（ステップ２１０の「Ｎｏ」）、第２のチャンネルリストに当該チャンネルの情報を追加する（ステップ２１４）。
【００４３】
そして、Ｎの値を１つだけ増分して（ステップＳ２１６）、ステップ２０２に戻って、このループを繰り返す。
【００４４】
上記したように、本実施の形態における受信装置の制御部１１８は、第１のチャンネルリストを作成後、第２のチャンネルリストを作成する場合には、第１のチャンネルリストの情報を第２のチャンネルリストに複製し、第１のチャンネルリストと第２のチャンネルリストの情報が異なる場合にのみ、第２のチャンネルリストを変更する。
【００４５】
このような構成により、本実施の形態における受信装置では、第１の受信部１００により受信された第１のチャンネルリストの情報を、異なる第２の受信部１０２においても活用することにより、チャンネルスキャンの時間を短縮することが可能になるものである。
【００４６】
さらに、本実施の形態における受信装置では、第１の受信部１００により受信された第１のチャンネルリストの情報を、異なる第２の受信部１０２におけるチャンネルリストとした後に、第２の受信部１０２により受信された第２のチャンネルリストの情報の書き換えを行う。その結果、第１の受信部１００のチャンネルリストと第２の受信部１０２のチャンネルリストの同じ位置に、同じチャンネルが登録される。したがって、ユーザーが行う選局操作は、第１の受信部１００と第２の受信部１０２とで、同じ選局操作となる。
【００４７】
上記したように、本実施の形態における受信方法は、第１の受信ステップと、第２の受信ステップと復調ステップと選択ステップと記録ステップとを備えている。第１の受信ステップは、固定受信用アンテナからの放送波を第１の受信部１００により受信する。第２の受信ステップは、移動受信用アンテナからの放送波を第２の受信部１０２により受信する。復調ステップは、第１の受信ステップ又は第２の受信ステップからの放送波を復調部１０６により復調し、デジタル信号を出力する。選択ステップは、復調ステップにより復調する放送波のチャンネルを選択するために、選択部１１２の選局番号を選択する。記録ステップは、復調ステップにより復調する放送波のチャンネルと選択ステップにより選択される選局番号とを対応させたチャンネルリストを記録部１１４により記録する。そして、チャンネルリストは、第１の受信部１００により受信可能なチャンネルを示す第１のチャンネルリストと、第２の受信部１０２により受信可能なチャンネルを示す第２のチャンネルリストとを個別に有する。
【００４８】
このようにして、本実施の形態における受信方法は、電波が安定した受信感度の良い状態で視聴する場合は、固定受信用アンテナにより電波を受信し、一方プラグコンセントが無い場所に、受信装置の設置位置を移動し視聴する場合は、移動受信用アンテナにより電波を受信することが可能になるものである。
【００４９】
ところで、特に、難視聴地域においては、一般的に屋外に設置されるＵＨＦアンテナ、ＶＨＦアンテナ、ＢＳアンテナ、ＣＳアンテナ等により構成される固定受信用アンテナからの放送波を受信する第１の受信部１００や４ダイバーシティーアンテナ等により構成される移動受信用アンテナからの放送波を受信する第２の受信部１０２以外に、屋内に補助アンテナを設置することが行われている。
【００５０】
図６は、本発明の実施の形態における他の例の受信装置の全体構成を示すブロック図である。図６に示すように、本発明の実施の形態における他の例の受信装置では、図２の構成と比べて、第３の受信部１０３とスイッチング部１０４Ａとを備えている点が異なる。また、補助アンテナにより受信可能な第３のチャンネルリストを記録部１１４Ａに格納する点も異なる。
【００５１】
第３の受信部１０３は、補助アンテナからの放送波を受信する。スイッチング部１０４Ａは、第１の受信部１００と第２の受信部１０２と第３の受信部１０３とのいずれか１つにより受信された放送波をスイッチング回路により選択する。
【００５２】
受像部１０５Ａの記録部１１４Ａは、第１の受信部１００により受信可能なチャンネルに関するリストである第１のチャンネルリストと、第２の受信部１０２により受信可能なチャンネルに関するリストである第２のチャンネルリストと、第３の受信部１０３により受信可能なチャンネルに関するリストである第３のチャンネルリストを有している。図７は、補助アンテナからの放送波を受信する第３の受信部１０３により、ユーザーがチャンネルスキャンを行った場合のチャンネルリスト（第３のチャンネルリスト）の１例を示す概念図である。図７に示すように、第３のチャンネルリストは、第１のチャンネルリストと同様に、第２のチャンネルリストより、取得しているチャンネル数が多い場合を想定している。
【００５３】
制御部１１８Ａは、現在、スイッチング部１０４で選択されている第１の受信部１００、第２の受信部１０２、第３の受信部１０３を判別して、接続されている受信部に対するチャンネルリストを選択し、その情報に基づいて、復調部１０６を制御するものである。
【００５４】
このような構成により、本発明の実施の形態における受信装置では、複数の受信部に対して、それぞれチャンネルリストを備え、現在受信中の受信部に対するチャンネルリストを選択して、そのチャンネルリストに基づいて復調部１０６を制御することから、複数のアンテナからの放送波を受信可能な受信部であっても、適切なチャンネルを選択することが可能になるものである。
【００５５】
次に、これらの３つのチャンネルリストを取得するチャンネルスキャンの動作について、図５を参照しながら説明する。ここで、補助アンテナからの放送波を受信する第３の受信部１０３により、ユーザーがチャンネルスキャンを行った場合のチャンネルリスト（第３のチャンネルリスト）が、既に記録部１１４Ａに記録されていると想定している。そして、ユーザーが、図６に示した、移動受信用アンテナからの放送波を受信する第２の受信部１０２により、ユーザーがチャンネルスキャンを行った場合のチャンネルリスト（第２のチャンネルリスト）を作成するために、チャンネルスキャンを行う場合の動作について説明する。
【００５６】
受信装置が、第３のチャンネルリストを有する場合、図５のフローチャートのステップＳ２１０までは、受信装置は図５に基づいて説明した動作とほぼ同様な動作を行う。異なる点は、ステップ２０５において、第３のチャンネルリストの当該チャンネル番号の情報を第２のチャンネルリストに複製し、選局処理（ステップ２０６）を行う点である。
【００５７】
そして、ステップ２１０において、既に登録されたチャンネルの場合には（ステップ２１０の「Ｙｅｓ」）、上述したステップ２０５により複製した第３のチャンネルリストの情報に基づいて、第２のチャンネルリストを書き換える（ステップ２１２）。一方、ステップ２１０において、未登録の場合には（ステップ２１０の「Ｎｏ」）、第２のチャンネルリストに当該チャンネルの情報を追加する（ステップ２１４）。
【００５８】
上記したように、本実施の形態における他の例の受信装置の制御部１１８Ａは、第３のチャンネルリストを作成後、第２のチャンネルリストを作成する場合には、第３のチャンネルリストの情報を第２のチャンネルリストに複製する。そして、制御部１１８Ａは、第３のチャンネルリストと第２のチャンネルリストの情報が異なる場合にのみ、第２のチャンネルリストを変更する。
【００５９】
また、制御部１１８Ａは、この記録部１１４Ａに記録された第１のチャンネルリストと第２のチャンネルリストと第３のチャンネルリストを表示部１１０に表示することが可能となる構成を採用してもよい。また、選択部１１２Ａは、表示部１１０に表示された第１のチャンネルリスト、第２のチャンネルリスト、第３のチャンネルリストを選択可能であってもよい。
【００６０】
このような構成により、本実施の形態における他の例の受信装置では、ユーザーが、現在の受信環境において、複数のアンテナそれぞれに受信可能なチャンネルを判別し、受信環境に応じて、第１の受信部１００、第２の受信部１０２、第３の受信部１０３での受信可能なチャンネルが異なることを認識することにより、複数のアンテナのそれぞれが選択可能な番組を適切に判別ことが可能になる。
【００６１】
さらに、他の例の受信装置では、選択部１１２Ａに、第１の受信部１００又は第２の受信部１０２、第３の受信部１０３のいずれか１つを選択するための切替ボタン（図示せず）を設けてもよい。そして、ユーザーが切替ボタンを選択するのみで、スイッチング部１０４を切り替えることにより、第１の受信部１００と第２の受信部１０２と第３の受信部１０３とを切り替えることが可能になる構成を採用することも可能である。
【００６２】
このように、本実施の形態における他の例の受信装置においては、簡易な操作により、複数のアンテナからの放送波を切り替えることが可能になる。
【００６３】
また、図６に示したように、本実施の形態における他の例の受信装置は、接続部１１６Ａを介して、外部機器１１５と接続されている。外部機器１１５としては、受信機能を有する記録装置（チューナー付きＤＶＤ、ＢＤ）やセットトップボックス（ＳＴＢ）等が想定される。
【００６４】
ここで、受信装置は、外部機器１１５が受信装置の記録部１１４に記録されたチャンネルリストの情報を要求した場合には、受信装置は、第１のチャンネルリスト又は第３のチャンネルリストを転送してもよい。
【００６５】
このように、第２のチャンネルリストではなく、第１のチャンネルリスト又は第３のチャンネルリストを送信する理由としては、図３、図４及び図７に示すように、第１のチャンネルリスト又は第３のチャンネルリストと比較して、第２のチャンネルリストは、取得しているチャンネル数が少ないためである。また、第２のチャンネルリストは、移動受信用アンテナからの放送波を受信する第２の受信部１０２から得られるため、移動に伴う受信状況の変化が生じる場合があるためでもある。一方、第１のチャンネルリスト又は第３のチャンネルリストは、固定受信用アンテナからの放送波を受信しているので、受信状況の変化が生じる場合が移動受信用アンテナからの場合に比べて少ない。
【００６６】
以上のように、本実施の形態における他の例の受信装置は、外部機器１１５が受信装置の記録部１１４Ａに記録されたチャンネルリストの情報を要求した場合には、第１のチャンネルリスト又は第３のチャンネルリストを転送することにより、より多くのチャンネル数を取得することが可能になるものである。
【００６７】
なお、上述した例においては、第１のチャンネルリスト又は第３のチャンネルリストと比較して、第２のチャンネルリストは少ないため、このような処理を行ったが、仮に、第２のチャンネルリストの方が、チャンネル数が多い場合には、第２のチャンネルリストを転送する構成とすることも可能である。
【００６８】
なお、上述した受信装置の処理方法は、本願発明の一例であって、同様の効果が生じる場合には、他の処理方法であっても良い。
【産業上の利用可能性】
【００６９】
本発明の受信装置及び受信方法は、複数のアンテナを用いて、電波を受信する受信装置及び受信方法に利用することができる。
【符号の説明】
【００７０】
１００    第１の受信部
１０２    第２の受信部
１０３    第３の受信部
１０４    スイッチング部
１０４Ａ    スイッチング部
１０５    受像部
１０５Ａ    受像部
１０６    復調部
１０８    デコード部
１１０    表示部
１１２    選択部
１１２Ａ    選択部
１１４    記録部
１１４Ａ    記録部
１１５    外部機器
１１６    接続部
１１６Ａ    接続部
１１８    制御部
１１８Ａ    制御部
【図１Ａ】
0005447500.tif 000002
【図１Ｂ】
0005447500.tif 000003
【図２】
0005447500.tif 000004
【図３】
0005447500.tif 000005
【図４】
0005447500.tif 000006
【図５】
0005447500.tif 000007
【図６】
0005447500.tif 000008
【図７】
0005447500.tif 000009